(57)【要約】【課題】照明装置３００の灯具５００から外部に出射する透明カバーを平坦な透明板５１６にすることができるようにして、灯具５００の厚みを薄くすると共に、所望の方向に出射光を配光できるようにした小型軽量の安価な照明装置を提供する。【解決手段】曲がり角度が０°から５０°までの所定の角度である放熱板の曲がり部３５に、２列以内に制限したＬＥＤ１５の直線状アレー配置を有するＬＥＤ光源ユニット２００を搭載した低い高さの複数の照明パネル２５０を、灯具５００内で平面上に所望の配光パターンになるように分散配置して、灯具５００からの全光束の９０％以上が、出射光となり、しかも所望の配光特性が得られる灯具５００を提供する。ＬＥＤ光源ユニット２００には、光学レンズ１０を各ＬＥＤ１５に被せるように配置固定することにより、ＬＥＤ１５からの出射光を有効に灯具５００の外部に出射させる。【選択図】図３
2016197490.tif 000002
【特許請求の範囲】
【請求項１】
ＬＥＤを１個もしくは複数個の直線状配列したＬＥＤ光源ユニットを配列具備した照明装置において、該ＬＥＤ光源ユニットは、ＬＥＤに被せた光学レンズを備えていること、該ＬＥＤ光源ユニットからの熱を照明装置の灯具筺体に逃がすための放熱板を有すること、該放熱板は、所定の曲がり角度を有する曲がり放熱板であること、該曲がり角度は、０°から５０°までの所定の角度であること、該放熱板にＬＥＤ光源ユニットを取り付けて、照明パネルとし、該照明パネルを灯具内に配列し、前記光学レンズを介して照明パネルから放射される出射光量の９０％以上の出射光が、所定の角度方向に前記灯具から出るようにしたこと、該放熱板の０°を超えた曲がり部へＬＥＤ光源ユニットの固定は、ＬＥＤの配列を１列もしくは２列のみとして、灯具の筺体の透明カバーと筺体底部との間隔を減少させて、薄型筺体が実現できるようにしたこと、前記曲がり角度が０°では、灯具の筺体への固定部位置の平面上でＬＥＤ光源ユニットが配列されるようにしたこと、を特徴とする照明装置。
【請求項２】
透明カバーは、平坦な透明板にした請求項１記載の照明装置。
【請求項３】
前記曲がり角度が０°の放熱板を搭載するＬＥＤ光源ユニットでは、ＬＥＤの配列として、２列を超える２次元アレー状配列も可能にした請求項１もしくは２のいずれかに記載の照明装置。
【請求項４】
前記光源用の電流制御回路を搭載した請求項１から３のいずれかに記載の照明装置。
【請求項５】
前記光源用の電源としてソーラパネルを搭載した請求項４記載の照明装置。
【発明の詳細な説明】
【技術分野】
【０００１】
本発明は、LEDを用いた照明装置に関し、照明装置の灯具からの光照射方向を所定の角度に設定できる小型軽量で、薄型の灯具を備えた照明装置を提供できるようにしたものである。
【背景技術】
【０００２】
従来、個別のLEDなどの光源に収束性のレンズを被せて、これをアレー状に複数個並べて、ＬＥＤ光源ユニットとした照明装置があった（特許文献１参照）。そして、このＬＥＤ光源ユニットを立体的に配置して、照明装置を街路灯として利用した場合、街路灯直下方向の照明と、左右横方向の照明をするために、街路灯の照明装置の筐体内に、図１に示すように、LEDの発熱を放熱させるための１個の放熱板を立体的に曲げて、その頂上部分を平坦化させて、この平坦部に街路灯直下方向の照明用のＬＥＤ光源ユニットを配置し、左右横方向の照明には、１個の放熱板を立体的に曲げた部分（曲がり部）に配置するというようにしていた。
【０００３】
しかしながら、このような１個の放熱板の立体的に曲げた部分に左右横方向の照明用ＬＥＤ光源ユニットを配置すると、灯具筐体の深さに基づく遮光を避けるために、どうしても灯具の外部への光照射のための透明カバーを、平面状の透明板にすることができず、ＬＥＤ光源ユニットを配置した１個の立体的な放熱板を覆うようなグローブ状（凸面の形状）にせざるを得ず、その高さが大きくなるために、厚みが大きく、重い大型の灯具で、しかも高価な灯具を採用せざるを得なかった。
【先行技術文献】
【特許文献】
【０００４】
【特許文献１】特開２００２−２２８９２１号公報
【発明の概要】
【発明が解決しようとする課題】
【０００５】
本発明は、従来の上述の問題点を解消するために改良したもので、照明装置の灯具から外部に出射する透明カバーを平坦な透明板にすることができるようにして、灯具の厚みを薄くすると共に、所望の方向に出射光を配光できるようにし、しかも小型軽量で安価な照明装置を提供することを目的としている。
【課題を解決するための手段】
【０００６】
上記の目的を達成するために、本発明の請求項１に係わる照明装置は、ＬＥＤを１個もしくは複数個の直線状配列したＬＥＤ光源ユニットを配列具備した照明装置において、該ＬＥＤ光源ユニットは、ＬＥＤに被せた光学レンズを備えていること、該ＬＥＤ光源ユニットからの熱を照明装置の灯具筺体に逃がすための放熱板を有すること、該放熱板は、所定の曲がり角度を有する曲がり放熱板であること、該曲がり角度は、０°から５０°までの所定の角度であること、該放熱板にＬＥＤ光源ユニットを取り付けて、照明パネルとし、該照明パネルを灯具内に配列し、前記光学レンズを介して照明パネルから放射される出射光量の９０％以上の出射光が、所定の角度方向に前記灯具から出るようにしたこと、該放熱板の０°を超えた曲がり部へＬＥＤ光源ユニットの固定は、ＬＥＤの配列を１列もしくは２列のみとして、灯具の筺体の透明カバーと筺体底部との間隔を減少させて、薄型筺体が実現できるようにしたこと、前記曲がり角度が０°では、灯具の筺体への固定部位置の平面上でＬＥＤ光源ユニットが配列されるようにしたこと、を特徴とするものである。
【０００７】
ＬＥＤ光源ユニットは、ＬＥＤからの光を集光したり、発散させたりする光学レンズを搭載し、これを１個または複数個の光源としてのＬＥＤとこれに個別に対応させた光学レンズとを組み合わせてユニットとして取扱いができるようにしたもので、ＬＥＤは、ＬＥＤ基板に配列されている。街路灯などに用いる照明器具では、例えば、１個当たり１−３Ｗ程度の高出力のＬＥＤを用いるので、その発熱が大きく、有効にその発熱を放熱させないと、ＬＥＤの接合温度が上昇し、ＬＥＤの発光効率の低下と寿命に大きく影響することが分かっている。そのために、ＬＥＤ基板は、アルミ基板など、熱伝導度の大きい基板にＬＥＤを取り付けるようにすると共に、熱伝導用のペーストを着けて放熱板に熱コンタクトが良いようにネジ止めをすることが一般的である。なお、光学レンズを用いることにより、ＬＥＤからの光を有効に所望の半値角度で放出できると言う特長がある。
【０００８】
光学レンズ系によりＬＥＤ光源ユニットから所定の半値角度に放出させることができるが、道路や交差点、更に横断歩道など、街路灯として照明器具を使用した場合は、街路灯の設置位置から前方、後方、左右方向など所望の方向に配光させる必要がある。特に、横断歩道は、他の領域の道路よりも明るくしたい（例えば、２０ルックス以上）などの要望が有る。本発明では、放熱板を、所定の曲がり角度を有する曲がり放熱板で、薄型灯具のために、その高さを制限した放熱板（２列以内のＬＥＤアレー）を採用して、曲がり角度は、０°から５０°までの所定の角度に設定することができるようにしてあり、ＬＥＤ光源ユニットを、この放熱板に熱接触を良くした状態で取り付けて、照明パネルとして扱えるようにし、照明装置の灯具内部に照明パネルを配列して、所望の配光ができるように工夫している。街路灯として照明器具の灯具は、小型で軽くする必要が有り、しかも安価に製造することが普及に重要である。
【０００９】
街路灯として照明器具の灯具を軽くするには、その筺体の材料を、数十年と言う耐久性があり、硬くしかも軽い金属で製作し、雨漏りなどの対策も必要であり、また、透明カバーを耐久性の高いガラス材料にして、安価で製造しやすく、取扱いがし易く、しかも薄型の灯具になり得るように平板状の透明板にした方が良い。
【００１０】
本発明では、照明器具として薄型の灯具に対応するために、平板状の透明板が採用できるようにしても、照明パネルからの出射光量（全光束）の９０％以上の出射光が、所定の角度方向に照明装置から出るようにしたこと、放熱板の０°を超えた曲がり部へＬＥＤ光源ユニットの固定は、ＬＥＤの配列を１列もしくは２列のみと制限して、照明装置の筺体の透明板と筺体底部との間隔を減少させて、薄型筺体が実現できるようにしている。もちろん、曲がり角度が０°とは、放熱板が平坦な場合である。そして、本発明では、薄い灯具の内部に、ＬＥＤの配列を１列もしくは２列のみと制限している（放熱板の高さが低い状態）ので、放射全光束が大きい灯具にするためには、照明パネルの数を増加させることで対応することにしている。薄い灯具の内部で平面上に分散して所定の形状の各照明パネルを配置することになるので、灯具の輝度が小さくなるから目に優しい照明装置が提供できる。
【００１１】
本発明の請求項２に係わる照明装置は、透明カバーを、平坦な透明板にした場合である。
【００１２】
照明器具として薄型の灯具にするために、平坦な（平板状）透明板にした場合である。また、平板状の透明板は、特別な金型が不要であり、ガラス板にしても、プラスチックにしても安価な透明カバーとなる。雨漏り対策でも、単純なゴムパッキンなどでも対応できるので、灯具の蓋（カバー）にも採用しやすい。
【００１３】
本発明の請求項３に係わる照明装置は、前記曲がり角度が０°の放熱板を搭載するＬＥＤ光源ユニットでは、ＬＥＤの配列として、２列を超える２次元アレー状配列も可能にした場合である。
【００１４】
放熱板の曲がり角度が０°のＬＥＤ光源ユニットは、平坦な放熱板であり、灯具の筺体底部に平行に配置するだけなので、灯具の厚みには、ＬＥＤの配列数は無関係になる。従って、０°を超えた曲がり部を有する放熱板とは異なり、ＬＥＤの配列として２列を超える２次元アレー状配列も可能になる。このように、所望の照度分布を実現するために、必要に応じて、２列を超える複数個の２次元アレー状配列のＬＥＤ光源ユニットを、曲がり角度が０°の放熱板に搭載する場合である。これにより、コンパクトな照明パネルが実現できるし、小型軽量の灯具を提供できることになる。
【００１５】
本発明の請求項４に係わる照明装置は、前記光源用の電流制御回路を搭載した場合である。
【００１６】
照明装置は、所定の消費電力で駆動する場合が一般的である。このためには、特に光源としてLEDを用いた場合は、一般に定電流駆動をし、そのための直流（DC）電源を使用する。商用電源である交流電源から所望の直流電源を得るための電流制御回路が必要であり、太陽光パネル（ソーラパネル）やバッテリを利用した直流電源でも、所望の直流電流を得るための電流制御回路が必要である。また、光源を所望のタイミングで点滅させたり、所定の光源ニットのみ光強度を時間的に変更したりするような場合も電流制御回路が必要になる。このような電流制御回路を搭載した照明装置の場合である。
【００１７】
本発明の請求項５に係わる照明装置は、前記光源用の電源としてソーラパネルを搭載した場合である。
【００１８】
本発明の照明装置の電源として、商用電源がないところでも照明ができるように、光源用の電源としてソーラパネルを搭載した場合であり、ソーラパネルの容量は、昼間時に太陽光を受けてバッテリ等にその電力を蓄えて夜間の照明の使用するために必要な電力量を賄うことができる容量にする必要があり、照明装置の消費電力を考慮して決定されるものである。一般には、ソーラパネルと共に、バッテリも同時に搭載しておくことが望ましい。もちろん、最も電力量が得られるように太陽の平均位置の方向に向けてソーラパネルを設置するものである。
【発明の効果】
【００１９】
本発明の照明装置では、ＬＥＤ基板、複数のＬＥＤおよび光学レンズ系（レンズ固定プレートに光学レンズを取り付けて一体化）とを一体化したＬＥＤ光源ユニットを用いているので、ＬＥＤ光源ユニットの数、その配置と向きの選定により、所望の照度分布や照射方向を持つ照明装置が提供できるという利点がある。
【００２０】
本発明の照明装置では、ＬＥＤ光源ユニットを所定の曲がり角度を有する放熱板に取り付けて一体化した照明パネルとしている。これらの各種形状の照明パネルを灯具内の平面上に所定の配光パターンになるように分散配置しているので、灯具の輝度が小さく、目に優しく、しかも所望の放射光の方向を任意に設定できると言う利点がある。
【００２１】
本発明の照明装置では、０°を超える所定の曲がり角度を有する放熱板に搭載するＬＥＤ光源ユニットの１次元アレーを２列以内に限定しているので、放熱板を通してのＬＥＤの発熱の放熱が有効である。しかも、放熱板の曲がり部の高さも小さくできるので、薄型の灯具が実現できると言う利点がある。従って、小型、軽量で安価な灯具の実現ができると言う利点がある。
【００２２】
本発明の照明装置では、所定の曲がり角度を有する放熱板に搭載するＬＥＤ光源ユニットの１次元アレーを２列以内に限定しているので、平坦な透明カバーとしての透明板が使用できること、更に、この透明板から浅い位置にＬＥＤ光源ユニットを備えた照明パネルが設置できるので、灯具の外壁による遮光の影響を無視できる程度に（照明パネルからの全光束の９０％以上が灯具からの出射が可能にする）、所望の方向に、灯具から出射させることができると言う利点がある。
【００２３】
本発明の照明装置では、平坦な透明カバーとしての透明板が使用できるので、道路や交差点などで使用する街路灯に要求される透明カバーである硬質ガラス製の平坦な板ガラスの透明板が採用できると言う利点がある。従って、軽量で安価なガラス製の透明カバーが採用できると言う利点がある。  
【００２４】
本発明の照明装置では、ＬＥＤ光源ユニットを放熱板に、１個または複数個配列できるので、種々の組合せにより、所望の明るさ、指向性、照度分布、演色性が得られるようにした照明装置が安価に提供できるという利点がある。もちろん、ＬＥＤ光源ユニット内の光学レンズのアレーでも、異なる焦点を有する光学レンズの組合せでも良い。
【図面の簡単な説明】
【００２５】
【図１】従来の照明装置の灯具内の照明パネルの一実施例で、灯具内に取り付けていた光学レンズとＬＥＤとの組合せのアレーを持つＬＥＤ光源ユニットを、両側３０°曲がり角度を有する放熱板に取り付けて一体化した場合の照明パネルで、その断面構造図の概略図を示す。（実施例１）
【図２】本発明の照明装置の灯具の一実施例で、その横向きの概略図を示す。（実施例１、実施例２、実施例４）
【図３】本発明の照明装置の図２に示した横向きの灯具で、灯具の下から見た場合の平面概略図（左側）とそのＹ−Ｙ断面での断面概略図（右側）を示す。（実施例１、実施例２、実施例３、実施例４）
【図４】本発明の照明装置の構成要素のＬＥＤ光源ユニットの一実施例を示す平面概略図（Ａ），断面概略図（Ｂ）である。（実施例１）
【図５】本発明の照明装置の構成要素のＬＥＤ光源ユニットを備えた曲がり角度０°放熱板（平板放熱板）を有する照明パネルの一実施例で、その平面概略図（左側）とそのＹ−Ｙ断面での断面概略図（右側）を示す。（実施例１）
【図６】本発明の照明装置の構成要素のＬＥＤ光源ユニットを備えた曲がり角度３０°放熱板（片側）を有する照明パネルの一実施例で、その平面概略図（左側）とそのＹ−Ｙ断面での断面概略図（右側）を示す。（実施例１）
【図７】本発明の照明装置の構成要素のＬＥＤ光源ユニットを備えた曲がり角度３０°放熱板（両側）を有する照明パネルの他の一実施例で、その平面概略図（左側）とそのＹ−Ｙ断面での断面概略図（右側）を示す。（実施例１）
【図８】本発明の照明装置の構成要素のＬＥＤ光源ユニットを備えた曲がり角度３０°放熱板（片側）を有する照明パネルの他の一実施例で、その平面概略図（左側）とそのＹ−Ｙ断面での断面概略図（右側）を示す。（実施例２）
【図９】本発明の照明装置の構成要素のＬＥＤ光源ユニットを備えた曲がり角度０°放熱板（平板放熱板）を有する照明パネルの他の一実施例で、その平面概略図（左側）とそのＹ−Ｙ断面での断面概略図（右側）を示す。（実施例２）
【図１０】本発明の照明装置を街路灯として実施した一実施例で、照明装置の光源の電源として、ソーラパネルとした場合の一例を示す斜視概略図である。（実施例１、実施例４）
【発明を実施するための形態】
【００２６】
以下、本発明の照明装置について、実施例に基づき詳細に説明する。
【実施例１】
【００２７】
上述のように、従来は、照明装置３００で街路灯として利用した場合、光学レンズ系をＬＥＤに被せた照明パネルでは、これを構成するＬＥＤ光源ユニットを立体的に配置して、街路灯直下方向の照明と、左右横方向の照明をするために、街路灯の照明装置３００の筐体内に、図１に示すように、LEDの発熱を放熱させるための１個の放熱板を立体的に曲げて、その頂上部分を平坦化させて、この平坦部に街路灯直下方向の照明用のＬＥＤ光源ユニットを配置し、左右横方向の照明には、１個の放熱板を立体的に曲げた部分（曲がり部）に配置するというようにしていた。このために、街路灯として広範囲の照明を確保するためには、透明カバーをグローブ状にせざるを得ず、大型で分厚い灯具にする必要が有り、重量が大きい灯具を用意するしかなかった。
【００２８】
本発明の照明装置３００を街路灯として使用した時の灯具５００の一実施例で、その横向きの概略図を図２に示す。灯具５００の筺体５１０は、軽量合金のアルミダイキャストで製作されており、灯具５００の蓋５１５は、筺体５１０にネジ留めで取り付けられるようになっている。例えば、図１０に示すように、道路の車道と歩道との間に設置された地面に垂直に伸びるポール７００の先端部に、この灯具５００を被せて、ネジ留めで固定留守用に設計して有り、灯具５００には、ポール７００にはめ込むためのポール差し込み穴７０１が、所定のポール７００の先端部直径（例えば、６０．５ｍｍφ）に合うように形成されている。灯具５００の蓋５１５には、灯具５００内部に配列した曲がり角度を有する放熱板に取り付けたＬＥＤ光源ユニット２００を備えた複数の照明パネル２５０からの光の９０％以上の全光束が、透明カバーである平坦な透明板５１６を通して外部に出射光として所定の方向に配光するようにしている。また、ポール７００に垂直方向となる地面に平行な水平面に対して、仰角φで傾いた透明板５１６となるように灯具５００に傾斜を付けた構造にしている。このことにより、透明板５１６に垂直に出射した主光束が、灯具５００前方に出射されるようにしている。ここでは、例えば、仰角φを１０°とした場合を例にしている。
【００２９】
図３には、本発明の照明装置３００の図２に示した横向きの薄型の灯具５００で、灯具５００の下から見た場合の平面概略図（左側）とそのＹ−Ｙ断面での断面概略図（右側）を示す。図４には、本発明の照明装置３００の構成要素のＬＥＤ光源ユニット２００の一実施例を示す平面概略図（Ａ），断面概略図（Ｂ）を示す。光学レンズ１０は、光学的に透明なアクリル樹脂で成形した半値角８０°程度の凸レンズを採用した場合を示している。また、ＬＥＤ光源ユニット２００は、図４に示すように、ＬＥＤ１５をアレー状に配列したＬＥＤ基板２０と、光学レンズ１０をＬＥＤ１５に位置に合わせてアレー状に配列したレンズ固定プレート１で構成されている。また、灯具５００の筺体底部５１１付近には、それに略平行に灯具の筺体５１０にネジ止めされた平面状の放熱板ベース３０が設置されており、この放熱板ベース３０に所定の曲がり角度を有する放熱板を備えた各照明パネル２５０が配光特性を勘案して所定の位置に分散配置されている。
【００３０】
ＬＥＤ光源ユニット２００で発熱した熱は、曲がり角を有する放熱板を介して、この放熱板ベース３０に熱伝導し、灯具の筺体５１０へと放熱し、最終的には、灯具の筺体５１０の外気へと伝わり放熱される。本実施例では、照明パネル２５０の放熱板として、曲がり角度０°放熱板（平板放熱板）３１、曲がり角度３０°放熱板（片側）３２、曲がり角度３０°放熱板（両側）３３が、採用されている。曲がり角度０°放熱板（平板放熱板）３１は、放熱板が平坦な場合で、実際には曲がっていないために、放熱板ベース３０の面に、面同士張り合わせて、ネジ止めしている状態である。曲がり角度３０°放熱板（片側）３２と曲がり角度３０°放熱板（両側）３３とは、それらの曲がり部３５に、図４に示すような１列の細長いＬＥＤ光源ユニット２００をネジ止めして、良好な熱接触させている。本発明では、ＬＥＤ光源ユニット２００のＬＥＤアレーを１列または２列までと制限することにより、小型軽量の薄型灯具の提供ばかりでなく、ＬＥＤ光源ユニット２００からの熱が有効に放熱板を介して、灯具の筺体５１０へと有効に放熱されるようにして、ＬＥＤの発光効率の上昇と長寿命化への貢献に寄与できるようにしている。また、灯具の蓋５１５は、硬質ガラス板の透明板５１６を介して、ゴム製のパッキン５２０を用いて、灯具の筺体５１０にネジ止めするようにして、雨漏り対策にしている。
【００３１】
図５には、本発明の照明装置３００の構成要素のＬＥＤ光源ユニット２００を備えた曲がり角度０°放熱板（平板放熱板）を有する照明パネル２５０の一実施例で、その平面概略図（左側）とそのＹ−Ｙ断面での断面概略図（右側）を示す。ここでは、ＬＥＤ１５を１列に６個配列したＬＥＤ光源ユニット２００を搭載した曲がり角度０°放熱板（平板放熱板）３１の場合である。また、図６には、本発明の照明装置３００の構成要素のＬＥＤ光源ユニットを曲がり部３５に具備した曲がり角度３０°放熱板（片側）を有する照明パネル２５０の一実施例で、その平面概略図（左側）とそのＹ−Ｙ断面での断面概略図（右側）を示し、同様にＬＥＤ１５を１列に６個配列したＬＥＤ光源ユニット２００を搭載した場合である。上述の図２に示す照明装置３００の灯具５００の内部には、図７に示すような曲がり角度３０°放熱板（両側）３３の両側に、ＬＥＤ１５を１列に６個配列したＬＥＤ光源ユニット２００を１個ずつ搭載した照明パネル２５０をも搭載して、灯具５００の左右の両側に配光の光束を増加させてされるようにしている。また、このような曲がり角度３０°放熱板（両側）３３の両側で、放熱板ベース３０への放熱がしやすいように固定ネジで止めるようにしている。また、灯具５００の前方方向にも、灯具５００の仰角φを更に増加させるような作用をする曲がり角度３０°放熱板（片側）３２を有する照明パネル２５０を追加配置している。
【００３２】
灯具５００の内部に配置した各照明パネル２５０からの光束は、各照明パネル２５０の放熱板の曲がり部３５に配置された各ＬＥＤ光源ユニット２００の面に垂直な方向に、主光束が出射されるので、種々の各照明パネル２５０の曲がり角の放熱板の選択配置と照明パネル２５０の数により所望の照明装置３００の所定の高さの灯具５００からの配光特性が定まり、道路などの照度分布を所望の配光パターンにさせることができる。
【実施例２】
【００３３】
図８は、本発明の照明装置３００の構成要素のＬＥＤ光源ユニット２００を備えた曲がり角度３０°放熱板（片側）３２を有する照明パネル２５０の他の一実施例で、同一の照明パネル２５０の曲がり角度３０°放熱板（片側）３２の曲がり部３５に、一直線上に配列したＬＥＤ１５の６個配列をしたＬＥＤ光源ユニット２００を２列に配列固定した場合であり、その平面概略図（左側）とそのＹ−Ｙ断面での断面概略図（右側）を示している。また、図９には、本発明の照明装置３００の構成要素のＬＥＤ光源ユニット２００を備えた曲がり角度０°放熱板（平板放熱板）を有する照明パネル２５０の他の一実施例で、同一の照明パネル２５０の曲がり角度０°放熱板（平板放熱板）３１に、一直線上に配列したＬＥＤ１５の６個配列をしたＬＥＤ光源ユニット２００を３列に配列固定した場合であり、その平面概略図（左側）とそのＹ−Ｙ断面での断面概略図（右側）を示す。これらの各種の照明パネル２５０を図２もしくは図３に示した本発明の照明装置３００の灯具５００の内部に、前記実施例１に示す照明パネル２５０を部分的に交換配置することにより、実施例１に示すような薄型の灯具５００が実現される。照明パネル２５０の曲がり角度０°放熱板（平板放熱板）を有する照明パネル２５０には２列以上のＬＥＤ光源ユニット２００を搭載させ、曲がり角度３０°放熱板（片側）３２の曲がり部３５に、一直線上に配列したＬＥＤ１５の６個配列をしたＬＥＤ光源ユニット２００を２列に配列固定した場合には、同一の灯具５００からの全光束を一定の下では、照明パネル２５０数を少なくできること、そのためにコンパクトな灯具５００を有する照明装置３００が提供できると言う利点がある。もちろん、上述の実施例では、ＬＥＤ光源ユニット２００として、一直線状の１列に６個のＬＥＤ１５を配列させた場合を示したが、１個のＬＥＤ光源ユニット２００に２列の６個のＬＥＤ１５を配列させても良く、６個のＬＥＤ１５だけでなく、更に増加させても、減少させても良いことは明らかである。また、本発明の照明装置３００の他の機能に関しては、前記実施例１と同様なので、ここではそれらの説明を省略する。
【実施例３】
【００３４】
本発明の照明装置３００を街路灯などに用いた場合、夜の時間帯によっては、消費電力の削減などの目的で、照明を暗くさせたりすることもできるようにしたい。また、本発明の照明装置３００を公園灯やディスプレィなどに使用して、光量の変化をさせたい場合が有る。一般に、街路灯などでは、各ＬＥＤ１５に、一定の直流電流、例えば、３５０ｍＡの直流電流を流して点灯させることが多い。上記実施例１や実施例２での本発明の照明装置３００の灯具５００の内部に分散配置した各照明パネル２５０、例えば、実施例１での図３における各照明パネル２５０、は一度配置固定したら、そのまま配置しておき、そこに取り付けてある所定のＬＥＤ光源ユニット２００の電極端子２３同士を短絡させると、その短絡されたＬＥＤ光源ユニット２００は、消灯する。このことを利用して、例えば、スイッチとタイマーとの組合せで、所定のＬＥＤ光源ユニット２００の電極端子２３同士を短絡させることにより、所望の明るさの調整を行う場合である。電流制御回路５５０に所定の回路を取り付け、灯具内に取り付けたスイッチを無線でオン、オフさせるようにし、所望の配光パターンになるようにしたり、消費電力の低減と減光を行うようにしても良い。また、実施例１での図３における灯具５００内の各照明パネル２５０の固定ネジを開けた状態にしておき、各照明パネル２５０の設置数を減らすことに、消費電力の削減と減光を行うようにしても良い。
【実施例４】
【００３５】
図１０は、本発明の照明装置３００を公園の歩道や一般道路などの街路灯として実施した場合の一実施例の模式図を示し、照明装置３００の電源としてソーラパネル６００を照明装置３００の図２や図３に示す灯具５００を支えるポール７００に取り付けた場合であり、ここでは、バッテリ６５０も備えて、昼間のソーラパネル６００での発電電力を蓄えておくようにした場合の例である。ソーラパネル６００やバッテリ６５０の容量は、照明装置３００の消費電力や夜間の点灯時間を加味して選択されるものである。なお、ここでは、照明装置３００の灯具５００の筺体５１０の中に、前記実施例１や実施例２に示すような複数の各方向を向く照明パネル２５０を搭載している。照明パネル２５０の各ＬＥＤ１５への電流供給やその制御のための電流制御回路５５０は、バッテリ６５０を収納する箱内に設置した場合を示している。もちろん、電流制御回路５５０は、灯具の筺体５１０内や、例えば、ポール７００に専用の格納箱を設けておき、この中に設置して、修理等をしやすくするようにしても良い。道路、交差点、トンネル内や公園の歩道などの照射面８００の所望の照度分布や演色性に応じて、本発明の照明装置３００に用いる照明パネル２５０やそれらの個数、ＬＥＤ１５の発光色、点滅、消費電力を勘案して、照明装置３００の構成要素を選択して搭載した照明装置３００を提供するものである。  
【００３６】
本発明の照明装置３００、灯具５００、照明パネル２５０、ＬＥＤ光源ユニット２００等は、本実施例に限定されることはなく、本発明の主旨、作用および効果が同一でありながら、当然、種々の変形がありうる。
【産業上の利用可能性】
【００３７】
本発明の照明装置３００は、ＬＥＤ光源ユニット２００を搭載する所定の曲がり角度を有した放熱板を備え、高さを制限した照明パネル２５０を、灯具５００内に平面上に分散配置することにより、平板状の透明カバーを、安価で、板ガラスなどの単純構造の透明板にできる。従来の灯具５００では、出射光束の方向を所望の広角の配光パターンにするために、グローブ型の透明カバーにせざるを得なかったのに対して、本発明に依れば、小型軽量で安価で、耐久性の優れた照明装置３００が提供される。また、所望の光学レンズ１０やＬＥＤ１５を備えたＬＥＤ光源ユニット２００、ＬＥＤ光源ユニット２００を搭載する各種曲がり角度の放熱板と、これらを組み合わせた照明パネル２５０の選択と灯具５００内の配置位置の選択、および電流制御回路５５０を用いた細かい光の制御、例えば、光の照射方向、広がり角度、演色性、点滅などの選択できるようにしているので、照明装置３００が使用される環境、例えば、道路、歩道、公園、交差点、店舗、広告、表示などの照明にマッチした所望の照明装置３００が提供できるものである。
【符号の説明】
【００３８】
１  レンズ固定プレート
３  固定用ネジ穴
１０  光学レンズ
１５  ＬＥＤ
２０  ＬＥＤ基板
２３  電極端子
３０  放熱板ベース
３１  曲がり角度０°放熱板（平板放熱板）
３２  曲がり角度３０°放熱板（片側）
３３  曲がり角度３０°放熱板（両側）
３５  曲がり部
２００  ＬＥＤ光源ユニット
２５０  照明パネル
３００  照明装置
５００  灯具
５１０  灯具の筺体
５１１  灯具の筺体底部
５１５  灯具の蓋
５１６  透明板
５２０  パッキン
５５０  電流制御回路
６００  ソーラパネル
６５０  バッテリ
７００  ポール
７０１  ポール差し込み穴
８００  照射面
【図１】
2016197490.tif 000003
【図２】
2016197490.tif 000004
【図３】
2016197490.tif 000005
【図４】
2016197490.tif 000006
【図５】
2016197490.tif 000007
【図６】
2016197490.tif 000008
【図７】
2016197490.tif 000009
【図８】
2016197490.tif 000010
【図９】
2016197490.tif 000011
【図１０】
2016197490.tif 000012